(57)【要約】【目的】  水槽内に加圧エアを送給するエアポンプであって、そこに接続される複数本のエアパイプが、無用に垂れ下がることなく、水槽内の濾過装置、エアストンなどのエア供給部に接続できるようにした。【構成】  截頭円錐形状のポンプケースＣの外周面に、複数条の螺旋溝５1 ，５2 ，５3 を並列して形成し、それらに、複数本のエアパイプ６1 ，６2 ，６3 をそれぞれ繰り出し・繰り込み可能に巻装し、それらのエアパイプ６1 ，６2 ，６3 の基端を、ポンプユニットＵの複数のエア吐出部にそれぞれ接続し、また、それらの自由端部をポンプケースＣの上部の係止部７1 ，７2 ，７3 にそれぞれ着脱可能に係止した。【選択図】      図２
2013179894.tif 000002
【特許請求の範囲】
【請求項１】
上方に向かって縮径される截頭円錐形状のポンプケース（Ｃ）と、このポンプケース（Ｃ）内に収容されるポンプユニット（Ｕ）とを備え、
前記ポンプケース（Ｃ）の外周面に、複数条の螺旋溝（５1 ，５2 ，５3 ）を並列して形成し、それらの螺旋溝（５1 ，５2 ，５3 ）に、複数本のエアパイプ（６1 ，６2 ，６3 ）をそれぞれ繰り出し・繰り込み可能に並列して巻装し、それらのエアパイプ（６1 ，６2 ，６3 ）の基端を、前記ポンプユニット（Ｕ）の複数のエア吐出部（１２1 ，１２2 ，１２3 ）にそれぞれ接続し、また、それらのエアパイプ（６1 ，６2 ，６3 ）を前記ポンプケース（Ｃ）の上部に設けた係止部（７1 ，７2 ，７3 ）にそれぞれ着脱可能に係止したことを特徴とする、水槽用エアポンプ。
【請求項２】
前記複数条の螺旋溝（５1 ，５2 ，５3 ）は、前記ポンプケース（Ｃ）の外周面に隣接して形成され、それらの螺旋溝（５1 ，５2 ，５3 ）に複数本のエアパイプ（６1 ，６2 ，６3 ）が隙間なく巻装されることを特徴とする、前記請求項１記載の水槽用エアポンプ。
【請求項３】
前記ポンプユニット（Ｕ）のエア吐出ポート（２９）を、前記ポンプケース（Ｃ）の下部に設けたエア分配室（１１）に連通し、前記エア分配室（１１）に設けた複数のエア吐出部（１２1 ，１２2 ，１２3 ）に、前記複数本のエアパイプ（６1 ，６2 ，６3 ）の基端をそれぞれ連通接続したことを特徴とする、前記請求項１記載の水槽用エアポンプ。
【発明の詳細な説明】
【技術分野】
【０００１】
本発明は、金魚、熱帯魚、海水魚等の観賞魚の飼育用水槽内の水の濾過や、水中へのエア（酸素）の供給に用いられる、水槽用エアポンプに関する。
【背景技術】
【０００２】
従来、水槽内の水を濾過する濾過装置を作動したり、水槽内の水にエア（酸素）を供給したりするため、エアポンプが用いられる。
【０００３】
ところで、単一のエアポンプからの吐出エアを、濾過装置やエアストンなどの複数のエア供給箇所に分配供給する場合には、そのエア吐出口に開閉弁を介して複数のエアパイプを接続し、その開閉弁を開閉制御して複数のエアパイプに加圧エアを分配供給したり、また、後記特許文献１に示されるように、ポンプユニットを収容したポンプケース１の前部にエア調節器２を設け、その内部のエアチャンバ８に、複数のエアパイプ１７を接続し、エア調節器２よりエア流量を調節した加圧エアを複数のエアパイプ１７に分配供給するようにしている。
【先行技術文献】
【特許文献】
【０００４】
【特許文献１】特開２００８−３０３７２７号公報
【発明の概要】
【発明が解決しようとする課題】
【０００５】
ところが、単一のエアポンプと、濾過装置やエアストンなどの複数のエア供給箇所間を複数のエアパイプで継ぐ場合に、それらのエアパイプが、それらの間に垂れ下がって（一般に、エアパイプは、それら間を余裕をもって継ぐようにしている）、それらのエアパイプが外観上の体裁を損なうばかりでなく、それらのエアパイプが他物と干渉することがあるという課題があり、また、複数のエアパイプのうち、使用しないエアパイプの収納場所がないという課題もある。
【０００６】
本発明はかかる実情に鑑みてなされたもので、複数本のエアパイプを常時接続したまま、それらを必要に応じて選択的に即座に使用できるようにすると共にそれらのエアパイプが弛みなくポンプ本体に繰り込み・繰り出し可能に体裁よく巻装できるようにして、前記課題を解決できるようにした、新規な水槽用エアポンプを提供することを目的とする。
【課題を解決するための手段】
【０００７】
前記目的達成のため、請求項１記載の発明は、上方に向かって縮径される截頭円錐形状のポンプケースと、このポンプケース内に収容されるポンプユニットとを備え、
前記ポンプケースの外周面に、複数条の螺旋溝を並列して形成し、それらの螺旋溝に、複数本のエアパイプをそれぞれ繰り出し・繰り込み可能に並列して巻装し、それらのエアパイプの基端を、前記ポンプユニットの複数のエア吐出部にそれぞれ接続し、また、それらのエアパイプを前記ポンプケースの上部に設けた係止部にそれぞれ着脱可能に係止したことを特徴としている。
【０００８】
前記目的達成のため、請求項２記載の発明は、前記請求項１のものにおいて、前記複数条の螺旋溝は、前記ポンプケースの外周面に隣接して形成され、それらの螺旋溝に複数本のエアパイプが隙間なく巻装されることを特徴としている。
【０００９】
前記目的達成のため、請求項３記載の発明は、前記請求項１のものにおいて、前記ポンプユニットのエア吐出ポートを、前記ポンプケースの下部に設けたエア分配室に連通し、前記エア分配室に設けた複数のエア吐出部に、前記複数本のエアパイプの基端をそれぞれ連通接続したことを特徴としている。
【発明の効果】
【００１０】
請求項各項記載の発明によれば、ポンプケースの外周面に、複数条の螺旋溝を並列して形成し、それらの螺旋溝に、複数本のエアパイプをそれぞれ繰り出し・繰り込み可能に並列して巻装したので、エアポンプと、濾過装置、エアストンなどの加圧エア供給部とを継ぐエアパイプや、使用しないエアパイプが、そられ間に無用に長く垂れ下がることがなく、外観上の体裁を良好にし、また、そのエアパイプが他物と干渉する心配がない。
【００１１】
請求項２記載の発明によれば、前記複数条の螺旋溝は、前記ポンプケースの外周面に隣接して形成され、それらの螺旋溝に複数本のエアパイプが隙間なく巻装されるので、エアポンプ自体の外観上の体裁を良好にして、その商品価値を高めることができる。
【００１２】
請求項３記載の発明によれば、前記ポンプユニットのエア吐出ポートを、前記ポンプケースの下部に設けたエア分配室に連通し、前記エア分配室に、前記複数本のエアパイプの基端をそれぞれ連通接続したので、ポンプユニットからの加圧エアを、ポンプケースの下部から複数本のエアパイプに供給することができ、エアポンプの振動を少なくして、それを設置面上に安定支持することができる。
【図面の簡単な説明】
【００１３】
【図１】水槽用エアポンプの全体斜視図
【図２】図１の２矢視図
【図３】図２の３−３線に沿う一部破断断面図
【図４】図２の４矢視図
【図５】図３の５−５線に沿う断面図
【図６】図３の６−６線に沿う拡大断面図
【図７】図６の７−７線に沿う断面図
【図８】ポンプケースからエアパイプを外した状態を示す図６と同じ断面図
【図９】水槽用エアポンプの使用状態を示す斜視図
【図１０】水槽用エアポンプの使用状態を示す斜視図
【発明を実施するための形態】
【００１４】
図１〜１０を参照して、本発明水槽用エアポンプの実施の形態について説明する。
【００１５】
水槽用エアポンプは、ポンプケースＣと、そこに収容されるポンプユニットＵを備える。
【００１６】
図１〜５に示すように、ポンプケースＣは、硬質の合成樹脂材により形成されており、上下方向に中心軸線Ｌ−Ｌを有して、上方に向かって縮径されて、その上面が天板１により閉じられた、中空の截頭円錐形状に形成されており、その下面は、底板２により閉じられる。ポンプケースＣの閉じられた上面には、キャップ３が取脱可能に被冠され、また、底板２の下面には、周方向に間隔をあけて弾性材よりなる複数の支持脚４が固定されている。
【００１７】
図２、５に示すように、ポンプケースＣの截頭円錐面よりなる外周面には、略その全長にわたり、断面円弧状の複数条（３条）の第１、第２および第３の螺旋溝５1 ，５2 ，５3 が相互に隣接して形成されている。３条の螺旋溝５1 ，５2 ，５3 には、ビニールパイプなどの可撓性の複数本（３本）の第１、第２および第３のエアパイプ６1 ，６2 ，６3 が、繰り込み・繰り出し可能にそれぞれ並列して巻装されており、これらのエアパイプ６1 ，６2 ，６3 の基端部（下端部）は、集合されて前記底板２の膨出部２ａ内に設けたエア分配室１１のエア吐出部１２1 ，１２2 ，１２3 にそれぞれ連通、接続されており（図３参照）、また、第１，第１および第３のエアパイプ６1 ，６2 ，６3 の自由端部（上端部）は、ポンプケースＣの上端部に設けた複数の係止部としての係止溝７1 ，７2 ，７3 にそれぞれ抜差可能に係止される。図２，３および６，７に示すように、前記複数の係止溝７1 ，７2 ，７3 はＵ字状に形成されて、ポンプケースＣの上端部の周面に、周方向の間隔をあけて設けられている。係止溝７1 ，７2 ，７3 にそれぞれ係止された第１、第２および第３のエアパイプ６1 ，６2 ，６3 の自由端部は、ポンプケースＣの上面に被冠される、前記キャップ３により抜け出ないように止められる。第１、第２および第３のエアパイプ６1 ，６2 ，６3 の自由端には、それぞれ栓体８・・が着脱自在に嵌合される。
【００１８】
図１に示すように、ポンプケースＣの上端および下端の周面には、そこに巻装された第１、第２および第３エアパイプ６1 ，６2 ，６3 の自由端部および下端部を抑える抑え片９，１０が突設されている。
【００１９】
図５に最も明瞭に示すように、前記ポンプケースＣ内には、ポンプユニットＵが収容されている。このポンプユニットＵは、ポンプハウジング２０内に、電磁式のエアポンプ本体２１が支持されている。ポンプハウジング２０は、ポンプケースＣの底板２に複数本のネジ２２により固定されており、このポンプハウジング２０内に電磁式エアポンプ本体２１が支持されている。このエアポンプ本体２１は、電磁石２３と、ポンプメンブレーン２４と、電磁振動体２５とを備え、電磁石２１への通電によれば、電磁振動体２５が、その支持軸２６回りに振動して、ポンプメンブレーン２４が膨縮し、該ポンプメンブレーン２４内のポンプ室２７に発生する加圧エアを消音室２８を通してエア吐出ポート２９に圧送するようにされる。
【００２０】
なお、この電磁式エアポンプ本体２１は、従来公知のものであるので、その詳細な説明を省略する。
【００２１】
図５に示すように、電磁石２３に連なる電線コード３０は、ポンプハウジング２０およびポンプケースＣを通して外部に延出される。また、ポンプユニットＵのエア吐出ポート２９は、吐出パイプ３１を介して前記エア分配室１１に接続されており、ポンプユニットＵの駆動によれば、加圧エアは、エア吐出ポート２９より吐出パイプ３１を経てエア分配室１１に送給され、そこに設けた複数のエア吐出部１２1 ，１２2 ，１２3 から、第１、第２および第３のエアパイプ６1 ，６2 ，６3 に供給される。
【００２２】
つぎに、図９、１０を参照して、前記実施態様の使用例について説明する。
【００２３】
〔３本のエアパイプをいずれも使用する場合（図９参照）〕
エアポンプ（水槽Ｖ１，Ｖ２よりも高い位置に設置）のポンプケースＣから第１、第２および第３のエアパイプ６1 ，６2 ，６3 をいずれも繰り出して、栓体８・・を抜いて、それらの自由端を、一方の水槽Ｖ１内の濾過装置Ｆ１と、他方の水槽Ｖ２内の他の濾過装置Ｆ２およびエアストンＡＳ１にそれぞ接続する。このとき、第１、第２および第３のエアパイプ６1 ，６2 ，６3 の、ポンプケースＣからの繰り出し量をそれぞれ調節することにより、エアポンプと水槽Ｖ１，Ｖ２間に３本のエアパイプ６1 ，６2 ，６3 が長く垂れ下がることがないよう適宜調整することができる。
【００２４】
〔３本のエアパイプのうちの２本を使用する場合（図１０参照）〕
エアポンプから第１、第２のエアパイプ６1 ，６2 をポンプケースＣよりそれぞれ繰り出して、それらの自由端を、栓体８・を抜いて、水槽Ｖ３内の濾過装置Ｆ３とエアストンＡＳ２にそれぞ接続する。このとき、第１、第２のエアパイプ６1 ，６2 の、ポンプケースＣからの繰り出し量をそれぞれ調節することにより、エアポンプと水槽Ｖ３間に、第１、第２のエアパイプ６1 ，６2 が無用に長く垂れ下がることがないよう適宜調整することができ、また、使用しない第３のエアパイプ６3 は、ポンプケースＣに繰り込んだままとしておくことにより、それが外部に垂れ下がることがない。
【００２５】
なお、３本のエアパイプ６1 ，６2 ，６3 のうちの１本を使用し、使用しない２本のエアパイプは、ポンプケースＣに繰り込んだままとすることができる。
【００２６】
以上、本発明の実施の形態について説明したが、本発明はそれに限定されることなく、本発明の範囲内で種々の実施の形態が可能である。
【００２７】
たとえば、前記実施の形態では、ポンプケースの外周面に３本のエアパイプを巻装した場合について説明したが、ポンプケースには、２本あるいは４本以上のエアパイプを巻装するようにしてもよい。また、前記実施の態様では、電磁式エアポンプ本体を用いているが、他のエアポンプ本体を用いてもよい。
【符号の説明】
【００２８】
５1 ，５2 ，５3 ・・・・・・螺旋溝（第１、第２、第３の螺旋溝）
６1 ，６2 ，６3 ・・・・・・エアパイプ（第１、第２、第３のエアパイプ）
７1 ，７2 ，７3 ・・・・・・係止部（係止溝）
１１・・・・・・・・・・・・エア分配室
１２1 ，１２2 ，１２3 ・・・エア吐出部
Ｃ・・・・・・・・ポンプケース
Ｕ・・・・・・・・ポンプユニット
【図１】
2013179894.tif 000003
【図２】
2013179894.tif 000004
【図３】
2013179894.tif 000005
【図４】
2013179894.tif 000006
【図５】
2013179894.tif 000007
【図６】
2013179894.tif 000008
【図７】
2013179894.tif 000009
【図８】
2013179894.tif 000010
【図９】
2013179894.tif 000011
【図１０】
2013179894.tif 000012